(57)【特許請求の範囲】
【請求項１】
複数頭の野生動物を捕獲可能な野生動物捕獲装置であって、
前記野生動物を囲って捕獲するための囲い部と、
前記囲い部の一部を開口して設けられ、前記野生動物が前記囲い部内に侵入可能な侵入口と、
前記侵入口に開閉可能に設けられた扉と、
前記囲い部内に設けられ、前記野生動物のエサを載置するエサ載置部と、
前記囲い部内に設けられ、前記エサ載置部に載置された前記エサを食する際に前記野生動物が立つ位置に配置される踏み板と、
前記踏み板の上にかかる重量を検知する重量検知手段と、
前記重量検知手段により検知された重量が閾値以上の場合に、前記扉を閉鎖するトリガー装置とを有し、
前記踏み板は、捕獲見込み頭数の前記野生動物が、前記エサを食する際に全頭乗ることができる面積であり、前記野生動物が前記踏み板に乗ることなく前記エサを食することができるスペースを設けることがない状態で配置されており、
前記閾値は、前記捕獲見込み頭数の前記野生動物の総重量に基づいて設定されることを特徴とする野生動物捕獲装置。
【請求項２】
前記囲い部は、前記踏み板が配置される踏み板配置部と、前記踏み板配置部より前記侵入口側に設けられ前記踏み板配置部の幅よりも大きな幅を有する誘導部とを有し、
前記踏み板配置部は、前記捕獲見込み頭数の前記野生動物が前記エサ載置部側を正面にして並んで前記エサを食することができる程度の大きさであることを特徴とする請求項１に記載の野生動物捕獲装置。
【請求項３】
前記囲い部は、間隔を空けて立設される複数の支柱と、前記複数の支柱間に配置され前記支柱に取り付けられる板状体とを有することを特徴とする請求項１又は請求項２に記載の野生動物捕獲装置。
【請求項４】
前記板状体は、木板材からなることを特徴とする請求項３に記載の野生動物捕獲装置。
【請求項５】
前記板状体は、金網からなり、前記金網には視界を遮蔽する遮蔽シートが取り付けられることを特徴とする請求項３に記載の野生動物捕獲装置。
【請求項６】
前記支柱は、設置面に配置される底面フレームに立設されることを特徴とする請求項３から請求項５のいずれか一項に記載の野生動物捕獲装置。
【請求項７】
前記侵入口と対向する位置に、前記囲い部の一部を開口して設けられ、捕獲された前記野生動物を取り出す取出し口と、
前記取出し口に開閉可能に設けられた取出し用扉とを有することを特徴とする請求項１から請求項６のいずれか一項に記載の野生動物捕獲装置。
【発明の詳細な説明】
【技術分野】
【０００１】
本発明は、野生動物捕獲装置に関し、特に鹿等の群れで行動する野生動物を一度に複数頭捕獲可能で、かつ簡易に設置可能な野生動物捕獲装置に関する。
【背景技術】
【０００２】
近年、山間部近郊において鹿や猪等の野生動物による農林業被害が深刻化している。このような被害を防ぐため、従来から、群ごと捕獲が可能な大型の囲い罠を設け、野生動物を群ごと捕獲することが行われている（例えば、特許文献１）。大型の囲い罠は、支柱を金網等などで取り囲み、開閉可能な侵入口が備え付けられた、周囲長１００ｍ程度以上の構造物となっている。
【０００３】
大型の囲い罠は、設置にかかる費用や労力が多大であるため、移設が困難である。ところが、同じ場所で繰り返し使用していると、野生動物が学習して、囲い内に入らなくなってしまい、捕獲効率が低下するという問題があった。また、囲い内に入った野生動物を囲い内から取り出す際に、野生動物を取出し口へ追い込むのに相当数の人員が必要であるという問題もあった。さらに、囲い内が広いため、野生動物を取出し口へ追い込み取り出す際に、野生動物が逃げ回り負傷したり死亡したりすることがあり、食肉として有効活用する上で問題があった。
【０００４】
一方、移設可能な罠としては、侵入口のある箱状の構造物に野生動物が入りエサを食するためにエサ取付部を可動させると、閉塞板を係止する係止部の係止状態が解除されて侵入口が閉じて動物が閉じ込められるようにした箱罠や（例えば、特許文献２）、踏み板が踏まれることによりトリガーが作動しワイヤーで野生動物の足を締め付けてくくり捕獲するくくり罠が知られている。
【０００５】
上述の箱罠では、エサ取付部を可動させた個体のみが捕獲され、くくり罠でも、踏み板を踏んだ個体のみが捕獲されるため、群れで行動する野生動物を捕獲するという点では捕獲効率が悪い。また、くくり罠では、くくられた足は負傷し、暴れることによるストレスも大きく、肉質が劣化するため、食肉として有効活用する上で問題があった。
【０００６】
上述のような大型の囲い罠や箱罠、くくり罠の課題を解決した罠として、３ｍ×５ｍ、４ｍ×４ｍといった小型の囲い罠が用いられている。このような小型の囲い罠では、囲い内に野生動物が複数頭侵入したときに、タイミングよく侵入口を閉鎖しなければ、囲い内が狭く侵入口への距離が短いことから、容易に侵入口から出て逃げられてしまう。監視カメラで監視し、囲い内に野生動物が複数頭侵入したことを確認して、侵入口を閉鎖することも行われているが、常時監視を行わなければならず手間がかかる。そこで、光学式センサーからなるカウントセンサーにより、囲い内への野生動物の侵入数と囲い内からの退避数をカウントして囲い内の野生動物の個体数を計測し、計測された個体数が一定数以上となった場合に、その個体数に応じて待機時間を設定し、設定された待機時間後に侵入口を閉鎖するようにした野生動物捕獲システムが開発されている（例えば、特許文献３）。このシステムは、囲い内の個体数が少ないときは、待機時間を長くすることで、より多くの個体が囲い内へ侵入する確率を高くし、囲い内の個体数が多いときは、待機時間を短くすることで、いったん侵入した個体が囲い内から退避する確率を低くし、より多くの個体を捕獲するようにしたものである。
【先行技術文献】
【特許文献】
【０００７】
【特許文献１】特開２０１４−３５号公報
【特許文献２】特開２００４−３０５０５０号公報
【特許文献３】特開２０１２−１２０５０２号公報
【発明の概要】
【発明が解決しようとする課題】
【０００８】
しかしながら、上記特許文献３の野生動物捕獲システムは、記憶装置や制御装置を有し一定の処理を行うようになっているため、導入費用がかかるという問題があった。
【０００９】
また、上記特許文献３の野生動物捕獲システムは、個体数を計測するために光学式センサーを用いている。野生動物は、自然界にエサが少なくなる時期にエサを求めて罠にかかりやすくなるため、捕獲は、通常冬期に行われる。東日本におけるニホンジカ等の降雪の多い地方に生息する野生動物を捕獲する場合、光学式センサーを用いて囲い内の個体数を計測し、その計測結果に基づいて侵入口を閉鎖する捕獲装置では、誤作動を起こして上手く捕獲できないという問題があった。
【００１０】
そこで、本発明は、降雪の多い地方においても雪による誤作動を防止して、鹿等の群れで行動する野生動物を一度に複数頭捕獲可能であり、かつ容易に設置可能な野生動物捕獲装置を提供することを目的とする。
【課題を解決するための手段】
【００１１】
上記課題を解決するために、本発明による野生動物捕獲装置は、複数頭の野生動物を捕獲可能な野生動物捕獲装置であって、前記野生動物を囲って捕獲するための囲い部と、前記囲い部の一部を開口して設けられ、前記野生動物が前記囲い部内に侵入可能な侵入口と、前記侵入口に開閉可能に設けられた扉と、前記囲い部内に設けられ、前記野生動物のエサを載置するエサ載置部と、前記囲い部内に設けられ、前記エサ載置部に載置された前記エサを食する際に前記野生動物が立つ位置に配置される踏み板と、前記踏み板の上にかかる重量を検知する重量検知手段と、前記重量検知手段により検知された重量が閾値以上の場合に、前記扉を閉鎖するトリガー装置とを有し、前記踏み板は、捕獲見込み頭数の前記野生動物が、前記エサを食する際に全頭乗ることができる面積であり、前記閾値は、前記捕獲見込み頭数の前記野生動物の総重量に基づいて設定されることを特徴とする。
【００１２】
上述の野生動物捕獲装置において、前記囲い部は、前記踏み板が配置される踏み板配置部と、前記踏み板配置部より前記侵入口側に設けられ前記野生動物を前記囲い部内へ誘導する誘導部とを有し、前記踏み板配置部は、前記捕獲見込み頭数の前記野生動物が前記エサ載置部側を正面にして並んで前記エサを食することができる程度の大きさであり、前記誘導部は、前記踏み板配置部の幅よりも大きな幅を有することが好ましい。
【００１３】
上述の野生動物捕獲装置において、前記囲い部は、間隔を空けて立設される複数の支柱と、前記複数の支柱間に配置され前記支柱に取り付けられる板状体とを有することが好ましい。
【００１４】
上述の野生動物捕獲装置において、前記板状体は、木板材からなることが好ましい。
【００１５】
上述の野生動物捕獲装置において、金網からなり、前記金網には視界を遮蔽する遮蔽シートが取り付けられるようにしてもよい。
【００１６】
上述の野生動物捕獲装置において、前記支柱は、設置面に配置される底面フレームに立設されることが好ましい。
【００１７】
上述の野生動物捕獲装置において、前記侵入口と対向する位置に、前記囲い部の一部を開口して設けられ、捕獲された前記野生動物を取り出す取出し口と、前記取出し口に開閉可能に設けられた取出し用扉とを有することが好ましい。
【発明の効果】
【００１８】
本発明による野生動物捕獲装置は、捕獲見込み頭数の野生動物が囲い部内のエサを食する際に踏み板を踏むようにし、踏み板にかかる重量に応じて侵入口を閉鎖するようになっているため、例えば２〜３頭程度の総重量で閉鎖されるようにし、小規模な囲い罠として利用することができる。そのため、一度に複数頭捕獲することができる上に、簡易に設置することができ移設が容易であることから、捕獲効率が低下した場合、他の場所へ設置することにより、捕獲効率を向上させることができる。
【００１９】
また、野生動物が通過する位置に光学式センサーを設置して囲い内の個体数を計測することなく、複数頭の野生動物が囲い内に侵入していることを検知して侵入口を閉鎖することができるため、降雪の多い地方においても雪による誤作動を防止することができる。
【００２０】
さらに、簡易な構成であるため、導入費用や設置費用も削減することができる。
【図面の簡単な説明】
【００２１】
【図１】本発明の実施形態に係る野生動物捕獲装置の構造を模式的に示す斜視図である。
【図２】本発明の実施形態に係る野生動物捕獲装置の構造を模式的に示す平面図である。
【図３】本発明の実施形態に係る野生動物捕獲装置の構造を模式的に示す側面図である。
【図４】本発明の実施形態に係る野生動物捕獲装置の踏み板及び重量検知手段の構造を模式的に示す図面であり、（Ａ）は平面図、（Ｂ）は（Ａ）において紙面上側から見た側面図、（Ｃ）は（Ａ）において紙面右側から見た側面図である。
【図５】本発明の実施形態に係る野生動物捕獲装置の重量検知手段の内部構造及び第１のトリガー装置の構造を模式的に示す平面図である。
【図６】本発明の実施形態に係る野生動物捕獲装置の第２のトリガー装置の作動状態を模式的に説明するための説明図であり、（Ａ）はトリガー装置が作動前の状態で、扉が上方へ引き上げられ侵入口が開放された状態を示す図であり、（Ｂ）はトリガー装置が作動後の状態で、扉が自重落下し侵入口が閉鎖された状態を示す図である。
【図７】本発明の他の実施形態に係る野生動物捕獲装置の底面フレームの構造を模式的に示す一部透視斜視図である。
【発明を実施するための形態】
【００２２】
以下に、本発明の実施の形態について詳細に説明する。
【００２３】
本実施形態に係る野生動物捕獲装置１は、図１，２に示すように、野生動物を囲って捕獲するための囲い部２を有している。囲い部２はその一部が開口して形成されており、該開口部分は野生動物が囲い部２内に侵入可能な侵入口３となっている。侵入口３には、扉４が開閉可能に設けられている。また、囲い部２内には、野生動物のエサを載置するエサ載置部５（図２参照）が設けられているとともに、エサ載置部５に載置されたエサを食する際に野生動物が立つ位置には、踏み板６（図２参照）が配置されている。踏み板６は、野生動物がエサを食する際に、所望の捕獲見込み頭数の個体全頭が載ることができる面積を有している。また、野生動物捕獲装置１は、踏み板６の上にかかる重量を検知する重量検知手段７（図４，５参照）を備えるとともに、重量検知手段７により検知された重量が閾値以上の場合に、扉４を閉鎖するトリガー装置８，９（図５，６参照）を有している。閾値は、捕獲見込み頭数の野生動物の総重量に基づいて設定される。また、本実施形態に係る野生動物捕獲装置１においては、囲い部２は、侵入口３と対向する部分も開口して形成されており、該開口部分は、捕獲された野生動物を取り出す取出し口１０となっている。取出し口１０には、取出し用扉１１が開閉可能に設けられている。
【００２４】
以下、各部材について詳細に説明する。
【００２５】
（囲い部２）
囲い部２の大きさや形状は特に限定されるものではないが、捕獲見込み頭数の野生動物が一時にエサを食することが可能であり、トリガー装置８，９が作動して扉４が閉鎖し始めてから閉鎖するまでの間に、囲い部２内に侵入していた野生動物が退避できない程度の大きさである。
【００２６】
ここで、捕獲見込み頭数は任意に設定可能であるが、複数頭捕獲可能でありつつ、囲い部２の大きさを最小限にして移設を容易にし捕獲効率の低下を防止する観点から、群れの中の最小単位のグループを構成する個体数であることが好ましい。例えば、ニホンジカの場合、雌鹿１頭と子鹿１頭、雌鹿２と子鹿１頭などが、最小単位のグループを構成する。ニホンジカにおいて、このようなグループを構成する個体数を捕獲見込み頭数として設定する場合、囲い部２の開口部分を含む全周長さは、７ｍ〜１８ｍが好ましく、特に９ｍ〜１２ｍが好ましい。
【００２７】
また、図１，２に示すように、踏み板６が配置される踏み板配置部１２と、踏み板配置部１２より侵入口３側に配置され野生動物を囲い部２内へ誘導する誘導部１３とを有し、踏み板配置部１２は、捕獲見込み頭数の野生動物がエサ載置部５側を正面にして並んでエサを食することができる程度の大きさであり、誘導部１３は、踏み板配置部１２の幅よりも大きな幅を有することが好ましい。踏み板配置部１２を捕獲見込み頭数の野生動物がエサ載置部５側を正面にして並んでエサを食することができる程度の大きさとすることによって、重量検知手段７により捕獲見込み頭数の野生動物が囲い部２内に侵入していることを確実に検知できるようになるとともに、囲い部２を小型化することができることにより移設を容易にすることができる。また、踏み板配置部１２の幅よりも大きな幅を有する誘導部１３を設けることにより、踏み板配置部１２を上記の大きさとすることによって野生動物に閉塞感を与え、囲い部２内へ侵入しづらくなるのを防止することができる。
【００２８】
囲い部２を構成する部材やその材質等についても、特に限定されるものではないが、間隔を空けて立設される複数の支柱１４と、複数の支柱１４間に配置され支柱１４に取り付けられる板状体１５とにより構成することが好ましい。支柱１４は、剛性の観点から、鉄、アルミニウム、ステンレス、炭素鋼等の金属製や合金製のパイプであることが好ましく、建設工事で用いるいわゆる単管パイプを好適に用いることができる。また、野生動物は、外が見えると囲い部２に体当たりして逃走を試み、負傷したり死亡したりするため、食肉として有効活用するためには、板状体１５は、囲い部２内に捕獲された野生動物から外が見えないような矩形状の木板材や金属板材からなることが好ましい。特に、取り扱い性、コスト削減等の観点から、コンクリート成形用のコンクリートパネル等の剛性の高い木板材を用いることが好ましい。
【００２９】
また、野生動物捕獲装置１を解体した状態で運搬する利便性から、板状体１５は、適当な大きさの板状体１５を適当な枚数、取り外し可能な状態で連結して所望の大きさにすることが好ましい。例えば、幅０．９ｍの板状体１５を８枚〜２０枚連結することが好ましく、１０枚〜１４枚連結することがより好ましい。板状体１５同士の連結は、例えば、板状体１５の側端部に穴を設けて、番線等の金属細線を隣接する板状体１５の穴間に通してくくりつけるようにするとよい。穴を補強するために、鳩目を用いてもよい。
【００３０】
板状体１５を支柱１４に取り付けるには、図１，３に示すように、板状体１５の側端部に穴を設けて、番線等の金属細線を穴に通し支柱１４にくくりつけるようにするとよい。穴を補強するために、鳩目を用いてもよい。
【００３１】
板状体１５として、上述のような木板材等を用いる場合、図１，３に示すように、軽量化、コスト削減等の観点から高さを低くすることが好ましいが、捕獲された野生動物が逃走を試みないように目隠しとなるようにする観点から捕獲対象動物の頭の高さ程度、例えばニホンジカの場合１．５ｍ〜２．５ｍ程度の高さとし、その上に、野生動物が飛び跳ねて板状体１５の上方から外へ逃走するのを防止する飛び出し防止ネット１６を取り付けるとよい。飛び出し防止ネット１６としては、ナイロン、ポリエステル等の剛性の高い化学繊維や金属等を編んだもの等を使用することができる。飛び出し防止ネット１６は、板状体１５の上端部に穴を設け、番線等の金属細線を用いて、板状体１５と支柱１４とに取り付けるとよい。
【００３２】
なお、板状体１５として、金網を用いてもよく、この場合、金網の外側に囲い内からの視界を遮蔽する遮蔽シートを所定高さに張設するとよい。遮蔽シートとしては、例えば、不透明なビニールシートを用いることができる。また、遮蔽シートは、金網の外側に張設するのではなく、金網の所定位置に折り畳んだ状態で保持し、扉４を閉鎖するトリガー装置８，９とは別に、重量検知手段７により検知された重量が閾値以上の場合に遮蔽シートの保持状態を解除するようなトリガー装置を設けるようにしてもよい。トリガー装置としては、プル型のソレノイドを用い、重量検知手段７により検知された重量が閾値以上の場合に通電して作動するプランジャーに棒状の保持部材を設け、遮蔽シートを保持部材に保持させるようにするとよい。なお、遮蔽シートに、蛇腹状に折り畳んだ状態で一方の面から他方の面に貫通する孔を設け、該孔に保持部材を挿通させることにより、遮蔽シートを折り畳んだ状態で保持してもよい。このようにすることにより、侵入口３が解放されているときには、遮蔽シートが折り畳まれているため、より閉塞感がなく野生動物が囲い部２内へ侵入しやすくなり、侵入口３が閉鎖されるときには、同時に遮蔽シートの折り畳みが解除されて垂れ下がり、囲い部２内からの視界を遮蔽するため、野生動物が逃走を試みて金網に体当たりするのを防止することができる。
【００３３】
また、板状体１５として、金網とベニヤ板等の軽量で遮蔽性を有する板とを併用することもできる。
【００３４】
図１〜３に示す例においては、侵入口３を構成する２本１組の支柱１４１と、踏み板配置部１２と誘導部１３との境界に設けられる２本１組の中間支柱１４２と、取出し口１０を構成する２本１組の支柱１４３とを有している。各組を構成する２本の支柱１４の間隔は、どの組も同じである。各組を構成する２本の支柱１４の上部は、互いに棒状体１７により連結され補強されている。棒状体１７は、支柱１４と同様の金属や合金製のパイプであることが好ましい。また、３組の支柱１４１〜１４３は、平行に一直線上に並ぶように配置されている。
【００３５】
取出し口１０を構成する支柱１４３と中間支柱１４２には、２枚連結された板状体１５が、取出し口１０を構成する支柱１４３と中間支柱１４２とを結ぶ直線上に配置されるように、それぞれ取り付けられている。中間支柱１４２と侵入口３を構成する支柱１４１には、３枚連結された板状体１５が、中間支柱１４２及び侵入口３を構成する支柱１４１の幅方向外側に張り出すように配置され、それぞれ取り付けられている。
【００３６】
取出し口１０を構成する支柱１４３と中間支柱１４２との間の囲い内は、踏み板配置部１２となり、中間支柱１４２と侵入口３を構成する支柱１４１との間の囲い内は、誘導部１３となる。踏み板配置部１２は上面視矩形状であり、誘導部１３は上面視八角形状である。
【００３７】
また、上記支柱１４は、地面に直接立ててもよいが、設置面に配置される底面フレーム１８（図７参照）の上に立設してもよい。野生動物は、自然界にエサが少なくなる時期にエサを求めて罠にかかりやすくなるため、捕獲は、通常冬期に行われる。東日本におけるニホンジカ等の降雪の多い地方に生息する野生動物を捕獲する場合、特に野生動物捕獲装置１の移設をしようとするときに、支柱１４を地面に直接立てようとすると、支柱１４が倒れないように確実に立設するためには、除雪する必要があるが、数ｍ積もった雪を取り除くにはかなりの労力を要する。底面フレーム１８を用いる場合は、除雪することなく雪を踏みならして、その上に底面フレーム１８を配置し、底面フレーム１８に支柱１４を立設すれば、雪が解けても、底面フレーム１８が略水平状態を保ったまま沈み込んでいくため、支柱１４が倒れることはない。
【００３８】
底面フレーム１８は、図７に示すように、棒状部材１９を方形状に連結して形成されている。本実施形態においては、方形状に形成された底面フレーム１８の対向する２辺において中間支柱１４２が取り付けられる位置には、対向する２辺間をまたいで互いを連結して補強する補強部材２０がとりつけられている。底面フレーム１８を構成する棒状部材１９および補強部材２０としては、支柱１４と同様の部材を用いることが好ましいが、長尺の木材を用いてもよい。棒状部材１９および補強部材２０、支柱１４は、それぞれ、単管用のクランプ等の連結部材を用いて連結されている。
【００３９】
なお、支柱１４を地面に直接立てる場合は、支柱１４を垂直に保つため、ベースジャッキを用いるとよい。
【００４０】
（侵入口３）
侵入口３は、囲い部２の一部を開口することにより形成されており、本実施の形態においては、一部の支柱１４（１４１）間に板状体１５を取り付けない部分を設けることにより形成されている。侵入口３は、捕獲対象となる野生動物が侵入しやすい大きさであれば、特に限定されるものではないが、野生動物が侵入しやすく、いったん囲い部２内に侵入した野生動物が外へ退避しにくくすること、野生動物捕獲装置１を小型化して容易に移設できるようにすることを考慮すると、０．５ｍ〜１．５ｍ程度の幅とすることが好ましい。
【００４１】
（扉４）
扉４は、侵入口３を開閉可能な状態にできるものであれば、特に限定されるものではない。扉４としては、板状体１５と同様の部材を用いることができるが、軽量化及び視界の遮蔽性の観点から、板状の金網に遮蔽シートを張設したものを用いることが好ましい。
【００４２】
扉４の取り付け構造は、図１〜３，６に示すように、侵入口３を構成する２本の支柱１４１の侵入口３に向かって手前側に、扉保持用の支柱１４４をそれぞれ設け、４本の支柱１４１，１４４で扉４が上下にスライド自在に保持される構造となっている。より詳細には、一方の侵入口３を構成する支柱１４１とその手前側の扉保持用の支柱１４４との間で扉４の一方の側部が保持され、他方の侵入口３を構成する支柱１４１とその手前側の扉保持用の支柱１４４との間で扉４の他方の側部が保持されている。侵入口３を構成する支柱１４１とその手前側の扉保持用の支柱１４４との間隔は、扉４を円滑にスライドさせるために、扉４を保持したときに多少の遊びが生じる程度とするのがよい。なお、扉４の取り付け構造は、上述の取り付け構造の他、公知の野生動物捕獲装置１で開閉可能に取り付けられている扉の取り付け構造を用いることもできる。
【００４３】
扉４の下方中央には、野生動物が囲い部２内に侵入するように扉４を解放した状態のときに、トリガー装置８，９に係止する係止片２１（図２，６参照）が外側に突出して設けられている。
【００４４】
２本の扉保持用の支柱１４４の所定の高さには、図２，３，６に示すように、トリガー装置８，９を取り付けるための取付台２２が設けられている。取付台２２を設ける位置は、野生動物が囲い部２内に侵入するように扉４を解放した状態で、扉４に設けられた係止片２１をトリガー装置８，９に係止可能な位置である。
【００４５】
扉４は、軽量化、コスト削減等の観点から１．０ｍ〜２．５ｍ程度の高さとすることが好ましい。この場合、扉４が閉鎖した状態のときに、囲い部２内の野生動物が飛び跳ねて扉４の上方から外へ逃走するのを防止する飛び出し防止ネット１６を取り付けるとよい。飛び出し防止ネット１６は、侵入口３を構成する２本の支柱１４１間であって、閉鎖状態の扉４の上方位置に対応する位置にとりつけられる。飛び出し防止ネット１６は、上述のものと同様のものを用いることができる。
【００４６】
（エサ載置部５）
エサ載置部５は、捕獲対象の野生動物を囲い部２内に誘引するためのエサを載置するものであり、囲い部２内の所定位置に設けられている。エサ載置部５を設ける位置は、適宜設計可能であるが、トリガー装置８，９が作動して扉４が閉鎖し始めてから閉鎖するまでの間に、囲い部２内に侵入していた野生動物が退避できないようにするとともに、囲い部２を小型化して移設を容易にするためには、侵入口３から最も遠い位置に設けることが好ましい。
【００４７】
エサ載置部５は、エサを置いておけるものであれば、特に限定されるものではなく、上面が開放された箱状のものであってもよいし、台状のであってもよい。また、特にエサを置くための部材を設けることなく、エサを置くためのスペースであってもよい。エサ載置部５の大きさは、捕獲見込み頭数の野生動物が並んでエサを食することができる程度の大きさであることが好ましい。
【００４８】
（踏み板６）
図２に示すように、エサ載置部５に載置されたエサを食する際に野生動物が立つ位置には、踏み板６が配置されている。踏み板６は、囲い部２の踏み板配置部１２内に、野生動物が踏み板６に載ることなくエサを食することができるスペースを設けることがない状態で配置されることが好ましい。
【００４９】
踏み板６は、野生動物がエサを食する際に、所望の捕獲見込み頭数の個体全頭が載ることができる面積を有している。囲い部２を小型化して移設を容易にするとともに、踏み板６の上にかかる重量をより簡易かつ正確に検知するためには、捕獲見込み頭数の野生動物がエサ載置部５側を正面にして並んでエサを食することができる程度の大きさとすることが好ましい。具体的には、捕獲対象の野生動物がニホンジカの場合は、幅が０．５ｍ〜１．５ｍ、長さが１．０ｍ〜２．０ｍであることが好ましい。なお、踏み板６の面積及び幅は、野生動物が足を載せる面の面積及び幅をいう。
【００５０】
踏み板６は、踏み板６にかかる重量を重量検知手段７にて検知できるように、踏み板６にかかる重量に応じて変位するようになっている。例えば、踏み板６は、図４に示すように、野生動物が足を載せる矩形状の平板からなる上板２３を有しており、上板２３の裏面の長手方向一端部には、上板２３を変位させる支点となる長尺の円管２４が、例えばＵ字金具５５等により取り付けられている。また、円管２４の両端部は、上板２３の下方の両側部に配置される長尺矩形状の側板２６の一端部に、例えばＵ字金具２５等により取り付けられている。側板２６の裏面の一方の端部には、両側板２６にまたがって、重量検知手段７を載置するための第１の下板２７が取り付けられている。側板２６の裏面の他方の端部には、両側板２６にまたがって、第１の下板２７と同じ厚みの第２の下板２８が取り付けられている。重量検知手段７は、第１の下板２７の上であって、上板２３の円管２４とは反対側の端部の下方に配置される。上板２３の裏面には、上板２３を補強するとともに、上板２３にかかる重量を重量検知手段７に伝える梁２９が設けられている。梁２９は、上板２３の円管２４側の両側端部であって側板２６より内側に対応する位置から、重量検知手段７の上面に至るように斜めに設けられた斜梁２９１と、上板２３の長手方向両端部に長手方向と直行する方向に延在するように設けられる複数の横梁２９２とにより構成されることが好ましい。
【００５１】
上板２３は、梁２９の少なくとも一部が重量検知手段７に接触した状態で、円管２４側よりも重量検知手段７側の端部が上方に位置するように傾斜するように、円管２４を支点として側板２６に支持されている。これにより、上板２３の上に野生動物が載ると、円管２４を支点として上板２３の重量検知手段７側の端部が下方へ変位し、重量検知手段７に重量が伝わるようになっている。
【００５２】
（重量検知手段７）
重量検知手段７は、踏み板６にかかる重量を検知できるものであれば、特に限定されるものではなく公知のものを用いることができる。本実施の形態においては、重量検知手段７として、図５に示すように、公知のアナログ式の平型体重計を用いている。アナログ式の平型体重計は、図示しない載台に荷重がかかると、同じく図示しない載台の４箇の固定足と重点刃３０を介して２本の主レバー３１と２本の補助レバー３２に荷重が伝達され、各レバー３１，３２はそれぞれ重点刃３０側の端部を支点としてアーク運動をする。同時に、リンク機構、ラック３３、ピニオン３４を経由してピニオン３４に固定された目盛り板（図示しない）が荷重に比例して回転し、荷重値が表示部（図示しない）に表示されるようになっている。本発明においては、ラック３３の変位量により重量を検知することができ、重量が閾値以上であることが後述の第１のトリガー装置８により検知されればよいため、目盛り板や表示部は設けなくてもよい。
【００５３】
ここで、閾値は、群れの中の最小単位のグループを構成する個体数の総重量に基づいて設定する。例えば、北海道のニホンジカの場合、雌の体重が７０ｋｇ〜８０ｋｇ、子鹿の体重が３０〜４０Ｋｇである。また、雄の体重は、１１０〜１２０ｋｇである。雄の場合、捕獲後の取出し作業時に暴れると非常に危険であるため、１頭で捕獲したほうが好都合である。これらを考慮すると、閾値は１１０ｋｇとすることが好ましい。
【００５４】
（トリガー装置８，９）
上述のような重量検知手段７を用いた場合、トリガー装置としては、踏み板６にかかる重量が閾値以上であることを検知して、検知信号を出力する第１のトリガー装置８と、第１のトリガー装置８から検知信号が入力されると扉４の保持状態を解除する第２のトリガー装置９とを用いることができる。
【００５５】
第１のトリガー装置８としては、図５に示すように、導電性の板バネ材からなる可動接点３５と固定接点３６とを有し、可動接点３５と固定接点３６とが接触することにより電流が流れるマイクロスイッチ３７を用いることができる。この場合、マイクロスイッチ３７に設けられた端子（図示しない）を配線を介して第２のトリガー装置９の駆動回路と接続することにより、可動接点３５と固定接点３６とが接触して流れる電流が、検知信号として機能する。
【００５６】
マイクロスイッチ３７は、重量検知手段７内において、重量検知手段７にかかる重量が閾値となったときにラック３３により可動接点３５が押下される位置に、設けられている。マイクロスイッチ３７は、可動接点３５の位置を調節する調節機構を備えていてもよい。調節機構は、筐体３８と、筐体３８に固定された雄ネジ３９と、雄ネジ３９に挿通されたコイルスプリング４０と、内部に雌ネジを有し雄ネジ３９に螺合するとともに筐体３８の上方から下方へ貫通して重量検知手段７内に固定された固定部４１と、雄ネジ３９に固着され雄ネジ３９及び固定部４１が外れないようにロックするロックネジ４２とを有している。筐体３８は、重量検知手段７内に固定された固定板５２に対してビス５３を支点として揺動可能に取り付けられており、筐体３８上には、マイクロスイッチ３７が取り付けられている。また、筐体３８には、筐体３８が固定部４１と干渉せず揺動できるように、スリット５４が設けられている。調節機構は、雄ネジ３９を緩めることにより、コイルスプリング４０の付勢力により筐体３８が紙面上側に押し上げられ、筐体３８がビス５３を支点として上方へ揺動し、これに伴い筐体３８に取り付けられたマイクロスイッチ３７も上方へ揺動して、マイクロスイッチ３７の可動接点３５とラック３３との距離が大きくなる。逆に、雄ネジ３９を締め付けることにより、雄ネジ３９の頭部により筐体３８が紙面下側に押しつけられ、筐体３８がビス５３を支点として下方へ揺動し、これに伴い筐体３８に取り付けられたマイクロスイッチ３７も下方へ揺動して、マイクロスイッチ３７の可動接点３５とラック３３との距離が小さくなる。したがって、雄ネジ３９を調節して、マイクロスイッチ３７の位置を変更することにより、トリガー装置８，９を作動させる重量の閾値を調節することができる。
【００５７】
第２のトリガー装置９は、例えば、図６に示すように、扉保持用の支柱１４４に設けられた取付台２２に取り付けられる基部４３を有しており、基部４３には、扉４に設けられた係止片２１を係止させる被係止部４４が、揺動可能に取り付けられている。また、基部４３には、被係止部４４の底部を支持する支持部４５が、揺動可能に取り付けられている。支持部４５の揺動の支点とは反対側の端部上面には、支持部４５を下方へ押圧する押圧部４６が固定されており、押圧部４６は、プル型のソレノイド４７のプランジャー４８の先端に設けられた第１の挟持部４９と基部４３に取り付けられたコイルバネ５０の先端に設けられた第２の挟持部５１とにより挟持されるようにして固定されている。また、ソレノイド４７に通電されない状態においては、図６（Ａ）に示すように、被係止部４４は後端部が押圧部４６の先端部に規制されて揺動しないようになっている。
【００５８】
第２のトリガー装置９は、ソレノイド４７の駆動回路にマイクロスイッチ３７から電流が流れると、図６（Ｂ）に示すように、プランジャー４８が引き下げられ、挟持部４９，５１に挟持された押圧部４６が支持部４５を押下する。すると、支持部４５が下方へ揺動するとともに、被係止部４４に係止片２１を介してかかっていた扉４の自重により、被係止部４４が揺動し、係止片２１の係止状態が解除される。その結果、扉４は自重により、侵入口を構成する支柱１４１と扉保持用の支柱１４４との間をスライドするようにして落下し、侵入口３が扉４で閉鎖される。
【００５９】
本実施の形態においては重量検知手段としてアナログ式の平型体重計を用いたが、この他、例えば、かかる荷重の大きさに応じた電気信号を出力するロードセルや圧力センサーを用いることができる。この場合、第１のトリガー装置として、ロードセルや圧力センサーから出力される電気信号の大きさと閾値に対応する電気信号の大きさとを比較して、ロードセルや圧力センサーから出力される電気信号の方が大きいと判断した場合に、第２のトリガー装置９に対して検知信号を出力する制御装置を用いることができる。この場合、第２のトリガー装置９は、検知信号が入力されるとソレノイドに通電されるようにする。
【００６０】
また、重量検知手段として、バネを用いてもよい。この場合、第１のトリガー装置としては、マイクロスイッチを用いることができ、踏み板６の上板２３に荷重がかかるとバネの変形に対応して上板２３が下方へ変位していき、上板２３にかかる重量が閾値に達したときに、上板２３の裏面に設けられた突起がマイクロスイッチを押すようにするとよい。また、第１のトリガー装置として、光電センサーを用いてもよく、この場合、上板２３にかかる重量が閾値に達したときに、上板２３の裏面に設けられた突起が光電センサーにより検知されるようにし、光電センサーが検知信号を出力するようにするとよい。なお、第１のトリガーとして光電センサーを用いたとしても、踏み板６内に雪が入らないように配置することができるため、降雪の多い地域でも雪による誤作動を防止することができる。
【００６１】
さらに、重量検知手段及び第１のトリガー装置として機能する一定圧力で作動する接点検出式の圧力スイッチを、踏み板６の上板２３の下方に配置するようにしてもよい。
【００６２】
（取出し口１０）
取出し口１０は、図１に示すように、囲い部２の一部を開口することにより形成されており、上述の侵入口３と同様に構成することができる。取出し口１０を設ける位置は、適宜設計可能であるが、図２に示すように、侵入口３と対向する位置であって、エサ載置部５の近傍に設けることが好ましい。これにより、野生動物が囲い部２内に侵入してエサを食しても侵入口３の扉４を閉鎖しないように設定し、野生動物の警戒心を解いて囲い部２内に侵入しやすくする餌付け期間中は、取出し口１０を解放しておけば、より警戒心を解きやすくすることができる。
【００６３】
（取出し用扉１１）
取出し用扉１１は、取出し口１０を開閉可能な状態にできるものであれば、特に限定されるものではなく、上述の扉４と同様の構成とすることができる。ただし、取出し用扉１１は、トリガー装置８，９を用いて閉鎖することなく専ら手動で閉鎖も開放も行う。
【００６４】
（使用方法）
次に、本実施形態による野生動物捕獲装置１の使用方法について説明する。
【００６５】
まず、野生動物捕獲装置１の設置現場において、野生動物捕獲装置１を組み立てる。組み立てる手順としては、まず、設置場所に積雪がある場合は、雪を踏み固める。そして、底面フレーム１８を構成する棒状部材１９を連結部材を用いて方形状に連結し、対向する２辺の所定位置に連結部材を用いて補強部材２０を連結して、底面フレーム１８を組み立てる。組み立てた底面フレーム１８を設置場所に配置する。方形状の底面フレーム１８の四隅及び補強部材２０が配置されている位置に、連結部材を用いて、支柱１４をそれぞれ取り付ける。互に上部を棒状体１７で連結する支柱１４同士は、予め連結部材を用いて連結しておくとよい。次に、侵入口３を構成する支柱１４１の手前に扉４を配置し、扉４を挟むようにして扉保持用の支柱１４４を立てて、連結部材を用いて侵入口３を構成する支柱１４１に連結する。取出し用扉１１も同様にして設置する。次に、支柱１４に板状体１５を金属細線で取り付け、隣接する板状体１５同士も金属細線で連結し、囲い部２を形成する。この時、所定の支柱１４間には板状体１５を取り付けず、侵入口３と取出し口１０とする。また、支柱１４間を一周するように、支柱１４と板状体１５に飛び出し防止ネット１６を取り付ける。
【００６６】
囲い部２内の踏み板配置部１２に、取出し口１０から所定距離だけ離して踏み板６を配置するとともに、踏み板６の上板２３の下方所定位置に第１のトリガー装置８を内蔵した重量検知手段７を配置する。取出し口１０から踏み板６までの間は、エサ載置部５となる。また、侵入口３の扉保持用の支柱１４４に取付台２２を取り付け、その上に第２のトリガー装置９を取り付ける。
【００６７】
なお、底面フレーム１８を用いない場合は、侵入口３を構成する支柱１４１間に棒状体１７を連結部材を用いて取り付けてロ字状に組立て、地面に配置されたベースジャッキに立てる。ロ字状に組んだ支柱１４１を１名がおさえ、他の者が板状体１５を、２本の支柱１４１から外側に張り出すようにハ字状に、金属細線を用いて支柱１４１に取り付ける。板状体１５を取り付けると、支柱１４１はある程度自立する。次に、２本の中間支柱１４２間上部に棒状体１７を連結部材を用いて取り付けてコ字状に組立て、地面に配置されたベースジャッキに立て、上述の要領でハ字に板状体１５を取り付ける。侵入口３を構成する支柱１４１に取り付けられた板状体１５と中間支柱１４２に取り付けられた板状体１５の間にもう１枚の板状体１５をそれぞれ配置し、板状体１５の端部同士を金属細線で連結する。中間支柱１４２に中間支柱１４２の開口面に垂直にそれぞれ板状体１５を取り付け、その板状体１５に一直線状にさらに板状体１５を連結する。この板状体１５に、侵入口３を構成する支柱１４１と同様にしてロ字状に組み立てた取出し口１０を構成する支柱１４３を取り付ける。以降は、底面フレーム１８を用いた場合と同様にして、野生動物捕獲装置１を完成させる。
【００６８】
野生動物捕獲装置１を組み立てて設置した後に、取出し用扉１１を上方へ引き上げて固定し、取出し口１０を解放する。また、侵入口３の扉４も上方へ引き上げて、係止片２１を第２のトリガー装置９の被係止部４４に係止させるとともに、トリガー装置８，９は作動しない状態にする。この状態で、エサ載置部５にエサを置き、所定期間、餌付けをする。このとき、誘導部１３があるため侵入口３からの視界が広がって見え、さらには解放された取出し口１０が見えるので、野生動物の警戒心が解かれやすい。
【００６９】
餌付け期間が終了した後は、取出し用扉１１を閉鎖するとともに、トリガー装置８，９が作動する状態にする。この状態で野生動物が囲い部２内に侵入してエサを食すると、必ず踏み板６に載ることになり、踏み板６にかかる重量が重量検知手段７により検知される。そして、第１のトリガー装置８により、重量検知手段７により検知された重量が閾値以上であることが検知されると、第２のトリガー装置９が作動して扉４の係止片２１の係止状態が解除され、扉４が自重により落下し、侵入口３が閉鎖される。これにより、囲い部２内に野生動物が閉じ込められる。
【００７０】
囲い部２内は、外が見えないようになっているため、囲い部２内の野生動物は、脱走を試みて囲い部２等に体当たりすることなく、死亡したり負傷したりすることがない。
【００７１】
その後、取出し口１０に図示しないネットを取り付けた状態で、取出し用扉１１を引き上げて固定し、侵入口３から囲い部２内の野生動物を追い立てて、取出し口１０から追い出すと、野生動物がネットに絡まり保定される。この状態で、止めさしを行えば、安全に処理することができ、食肉として有効活用することができる。なお、取出し口１０に入り口を開けたケージを固定し、囲い部２内の野生動物を追い立ててケージ内へ追い出し、ケージの入り口を閉鎖すれば、生きたまま移送することができる。
【００７２】
何度か捕獲を繰り返し、捕獲効率が低下したときは、組み立てたときと反対の手順で野生動物捕獲装置１を解体して移動し、新たな場所に設置する。
【００７３】
このように、本実施の形態に係る野生動物捕獲装置１は、捕獲見込み頭数の野生動物が囲い部２内のエサを食する際に踏み板６を踏むようにし、踏み板６にかかる重量に応じて侵入口３を閉鎖するようになっているため、例えば２〜３頭程度の総重量で閉鎖されるようにし、小規模な囲い罠として利用することができる。そのため、一度に複数頭捕獲することができる上に、簡易に設置することができ移設が容易であることから、捕獲効率が低下した場合、他の場所へ設置することにより、捕獲効率を向上させることができる。
【００７４】
また、野生動物が通過する位置に光学式センサーを設置して囲い内の個体数を計測することなく、複数頭の野生動物が囲い内に侵入していることを検知して侵入口３を閉鎖することができるため、降雪の多い地方においても雪による誤作動を防止することができる。
【００７５】
さらに、簡易な構成であるため、導入費用や設置費用も削減することができる。
【符号の説明】
【００７６】
１：野生動物捕獲装置
２：囲い部
３：侵入口
４：扉
５：エサ載置部
６：踏み板
７：重量検出手段
８：第１のトリガー装置
９：第２のトリガー装置
１０：取出し口
１１：取出し用扉
１２：踏み板配置部
１３：誘導部
１４：支柱
１５：板状体
１６：飛び出し防止ネット
１８：底面フレーム
２１：係止片
２２：取付台
【図１】
0006471384.tif 000002
【図２】
0006471384.tif 000003
【図３】
0006471384.tif 000004
【図４】
0006471384.tif 000005
【図５】
0006471384.tif 000006
【図６】
0006471384.tif 000007
【図７】
0006471384.tif 000008